(57)【要約】【課題】反射部材を筐体内部に保持するためのリング部材を灯体の開口縁部に設けても、照明効率を向上できる照明装置を提供する。【解決手段】照明装置１０は、光源１４および反射鏡１５を収容する筐体１３と、筐体１３を支持するとともに取付面１１に取付可能な支持部材１７とを有し、筐体１３が、光源１４および反射鏡１５を収容する略筒状の灯体２３と、灯体２３の端部に取り付けられることにより反射鏡１５を保持するリング部材２４とを備えているとともに、灯体２３の軸線２６に対して直交する回動軸２７を介して支持部材１７に支持される。この照明装置１０は、リング部材２４に設けられて灯体２３に近づく方向に連続する立上部２９を有し、回動軸２７が立上部２９に連結される。【選択図】図２
2007317557.tif 000002
【特許請求の範囲】
【請求項１】
光源および反射部材を収容する筐体と、
前記筐体内において前記光源と、前記光源から光を出射する開口との間に設けられたグレアカットキャップとを備える照明装置であって、
前記開口を横断するとともに前記グレアカットキャップを支持する固定部材を有し、
前記固定部材の両端部がそれぞれ前記筐体における外側を向く面に設けられた凹部に係合するとともに、付勢部材により前記固定部材の一端部が前記反射部材に近づく方向に付勢されている照明装置。
【請求項２】
前記筐体は、その内部に収容された反射部材を載置する載置部を有し、
この載置部に前記付勢部材を係止する係止溝を有し、
この係止溝を前記反射部材で塞ぐことにより、この係止溝から前記付勢部材が抜け出すことを防止することを特徴とする請求項１記載の照明装置。
【請求項３】
前記固定部材は、前記凹部に係止されることにより、前記グレアカットキャップの光軸を所定位置に位置決めすることを特徴とする請求項２記載の照明装置。
【発明の詳細な説明】
【技術分野】
【０００１】
本発明は、
本発明は、光源および反射部材を筐体に収容し、この筐体内において光源と、光源から光を出射する開口との間に設けられたグレアカットキャップとを備えた照明装置に関する。
【背景技術】
【０００２】
照明器具のなかには、器具本体と、器具本体の径方向の互いに反対向きに延出した第１のバーおよび第２のバーを有し、第１、第２のバー間にグレアカットキャップが設けられたグレアカット部材とを備えたものがある。
この照明装置によれば、第１のバーの先端は、グレアカットキャップが器具本体の軸方向に回動可能となるようにヒンジ手段により器具本体の内周面に取り付けられ、第２のバーの先端は、器具本体の内周面に着脱可能に弾性係止する弾性係止手段により取り付けられている（例えば、特許文献１）。
【特許文献１】特開平７−１６９３０１号公報
【発明の開示】
【発明が解決しようとする課題】
【０００３】
しかし、第２のバーの先端は弾性係止手段を弾性変形させながら器具本体の内周面に着脱するために、グレアカットキャップの取り外し・取り付けが煩雑となっていた。
なお、弾性係止手段に代えて締結部材などを用いることも考えられるが、この場合にも、締結部材の取外しや取付け作業が必要になり、グレアカットキャップの取り外し・取り付けが煩雑となる。
【０００４】
本発明は、前述した課題を解決するためになされたもので、その目的は、グレアカットキャップの取り外し・取り付けを容易に行える照明装置を提供することにある。
【課題を解決するための手段】
【０００５】
本発明の照明装置は、光源および反射部材を収容する筐体と、前記筐体内において前記光源と、前記光源から光を出射する開口との間に設けられたグレアカットキャップとを備える照明装置であって、前記開口を横断するとともに前記グレアカットキャップを支持する固定部材を有し、前記固定部材の両端部がそれぞれ前記筐体における外側を向く面に設けられた凹部に係合するとともに、付勢部材により前記固定部材の一端部が前記反射部材に近づく方向に付勢されていることを特徴とする。
【０００６】
固定部材の一端部を付勢部材で反射部材に近づく方向に付勢することで、固定部材の両端部を筐体の凹部にそれぞれ係合させることが可能である。
よって、固定部材の他端部には付勢部材がないので、他端部を小さな力にて押し下げることが可能になり、グレアカットキャップの取り外し・取り付けを容易に行える。
【０００７】
また、本発明は、前記筐体は、その内部に収容された反射部材を載置する載置部を有し、この載置部に前記付勢部材を係止する係止溝を有し、この係止溝を前記反射部材で塞ぐことにより、この係止溝から前記付勢部材が抜け出すことを防止することを特徴とする。
【０００８】
係止溝を反射部材で塞ぐことで、係止溝から付勢部材が抜け出すことを容易に防止できる。これにより、グレアカットキャップの取り外し・取り付けを容易に行える。
【０００９】
さらに、本発明は、前記固定部材は、前記凹部に係止されることにより、前記グレアカットキャップの光軸を所定位置に位置決めすることを特徴とする。
【００１０】
凹部に固定部材を係止することにより、グレアカットキャップの光軸を所定位置に位置決めすることが可能になり、グレアカットキャップの取り付けを容易に行える。
【発明の効果】
【００１１】
本発明の照明装置によれば、固定部材の一端部を付勢部材で反射部材に近づく方向に付勢することで、固定部材の両端部を筐体の凹部にそれぞれ係合させること、グレアカットキャップの取り外し・取り付けを容易に行えるという効果を有する。
【発明を実施するための最良の形態】
【００１２】
以下、本発明の実施形態に係る照明装置について、図面を参照して説明する。
図１〜図３に示すように、第１実施形態に係る照明装置１０は、店舗、博物館や美術館の天井などの取付面１１に取付孔１２を形成し、この取付孔１２に設置されて、商品や展示品を照射するために取付面１１に対して垂直な軸線を中心として回動可能であり、かつ、取付面１１に対して平行な線を中心として回動可能とすることにより、光軸を３次元方向に選択可能なライト（ユニバーサルダウンライト）である。
【００１３】
照明装置１０は、光源１４および反射鏡（反射部材）１５を収容する筐体１３と、筐体１３を支持するとともに取付面１１に取付可能な支持部材１７と、筐体１３内において光源１４および光源１４から光を出射する開口１８間に設けられたグレアカットキャップ２０と、開口１８を横断するとともにグレアカットキャップ２０を支持する固定部材２２を有する。
【００１４】
この照明装置１０は、筐体１３が、光源１４および反射鏡１５を収容する略筒状の灯体２３と、灯体２３の端部に取り付けられることにより反射部材１５を保持するリング部材２４とを備えているとともに、灯体２３の軸線２６に対して直交する一対の回動軸（いわゆる、首振り軸）２７を介して支持部材１７に支持され、リング部材２４に設けられて灯体２３に近づく方向に連続する立上部２９を有し、回動軸２７が立上部２９に連結されている。
【００１５】
支持部材１７は、取付面１１の取付孔１２に嵌合可能な円環状の取付枠（取付部材）３０と、取付枠３０に対して同軸配置され、かつ、取付枠３０に対して回動可能な回動リング（回動部材）３１とを有する。
【００１６】
取付枠３０には、下端部の外周につば３３が設けられるとともに、外周に３個の取付ばね部材３４が設けられている。
取付孔１２に取付枠３０を差し込み、つば３３と取付ばね部材３４とで取付面１１を挟持することで、取付枠３０を取付孔１２に取り付ける。
【００１７】
回動リング３１には、リング部材２４の立上部２９が一対の回動軸２７を介してスイング自在に設けられている。
回動リング３１は、一対の回動軸２７を介して立上部２９の外側面における互いに離れた二箇所に連結される部材である。
【００１８】
立上部２９は、リング部材２４の周方向に沿って半周未満連続するように形成されている。両端部が一対の回動軸２７を介して回動リング３１に回動自在に取り付けられている。
さらに、立上部２９の両端部には、灯体に向けて延びる突片が形成されている。これらの突片に一対の支持ピン３５を介して灯体２３が連結されている。
回動軸２７は、一例としてビスが用いられ、ナットで立上部２９の両端部に締結される。
【００１９】
この立上部２９に対応させて灯体２３に切欠部３６が設けられることで、立上部２９に灯体２３が干渉することを防いでいる。
灯体２３の外周にセード３７を備えることで、光源１４から発光された光が外部に漏れることを防ぐ。
【００２０】
灯体２３には、光源（一例として、ＨＩＤランプあるいはハロゲンランプ）１４がソケット３８に取り付けられ、ソケット３８がソケット台３９に設けられ、ソケット台３９に遮断板４１が設けられている。
遮断板４１は、灯体２３を傾けた状態において水平に配置され、光源１４から発生する熱を遮断する板材である。
【００２１】
図４に示すように、リング部材２４の周方向に沿って半周未満連続する立上部２９と、リング部材２４のベース２４Ａとの間に、半周未満連続する差込溝４８が形成されている。
差込溝４８に、反射鏡１５のフランジ部４９が差し込まれることで、リング部材２４に反射鏡１５が取り付けられる。
【００２２】
具体的には、反射鏡１５は、略円錐台形の筒状に形成され、底部の外周に沿って環状のフランジ部４９が形成されている。
このフランジ部４９が、図５に示すように、差込溝４８に差し込まれることで、リング部材２４に反射鏡１５が取り付けられる。
この状態で、フランジ部４９は、ベース２４Ａの載置部５１に載置される。なお、載置部５１については後述する。
【００２３】
立上部２９を、リング部材２４の周方向に沿って半周未満とすることで、リング部材２４の裏面に反射鏡１５を配置する際に反射鏡１５を径方向に沿って差し込みやすくなり、筐体１３内、すなわちリング部材２４に反射鏡１５を容易に保持できる
【００２４】
以上説明したように、リング部材２４の立上部２９に回動軸２７が連結されているため、支持部材１７に連結されたリング部材２４に対して灯体２３が着脱可能となる。
従って、灯体２３の開口から反射鏡１５を入れて灯体２３内に保持させるのではなく、リング部材２４の裏面に反射鏡１５を配置してから、リング部材２４に対して灯体２３を固定すれば、筐体１３内に反射鏡１５を保持できる。
【００２５】
この際、灯体２３およびリング部材２４が立上部２９を介して固定されているので、灯体２３に対する着脱機構をリング部材２４に設けておく必要がなく、照明効果を向上させる上での障害を回避できる。
【００２６】
より具体的には、立上部２９を回動リング３１に設けることで、リング部材２４を立上部２９を介して回動リングに連結できる。よって、回動リングに連結されたリング部材２４に対して灯体２３が着脱可能となる。
従って、リング部材２４の裏面に反射鏡１５を配置してから、リング部材２４に対して灯体２３を固定することで、筐体１３内に反射鏡１５を保持できる。
【００２７】
グレアカットキャップ２０は、光源１４の前方に配置して、主要な反射光を妨げることなく、直射光を抑制するものである。
図６〜図８に示すように、グレアカットキャップ２０は、固定部材２２を介して筐体１３（具体的には、リング部材２４）に取り付けられている。
【００２８】
固定部材２２は、両端部２２Ａ，２２Ｂがそれぞれリング部材２４（具体的には、ベース２４Ａ）における外側を向く面２４Ｂに設けられた一対の凹部４３，４４に係合するバーである。
一対の凹部４３，４４は、１８０度の間隔をおいて直線上に形成されている。
一対の凹部４３，４４のうち、一方の凹部４３に、固定部材２２の一端部２２Ａが係合され、他方の凹部４４に、固定部材２２の他端部２２Ｂが係合される。
【００２９】
図７に示すように、固定部材２２の一端部２２Ａに貫通孔５５が形成され、貫通孔５５にばね部材（付勢部材）４５が取り付けられている。
ばね部材４５は、略Ｃ字状に形成され、両端部４５Ａ，４５Ａが一対の係止溝５２にそれぞれ嵌め込まれている。
一対の係止溝５２は、載置部５１に形成されている。載置部５１は反射鏡１５のフランジ部４９が載置される部位である。一対の係止溝５２は、左右対称の部材である。
【００３０】
ばね部材４５の両端部４５Ａが係止溝５２にそれぞれ嵌め込まれた状態において、フランジ部４９を載置部５１に載置することで、フランジ部４９で係止溝５２を塞ぐ。
係止溝５２をフランジ部４９で塞ぐことにより、この係止溝５２から付勢部材４５が抜け出すことを防止する。
係止溝５２を反射鏡１５のフランジ部４９で塞ぐことで、係止溝５２からばね部材４５が抜け出すことを容易に防止できる。これにより、グレアカットキャップ２０の取り外し・取り付けを容易に行える。
【００３１】
ばね部材４５は、固定部材２２の一端部２２Ａが凹部４３に係合された状態で、リング部材２４のベース２４Ａから下方に離れる方向に弾性変形されている。よって、ばね部材４５が弾性変形の状態から復帰しようとする復帰力が、固定部材２２の一端部２２Ａにかかる。
これにより、固定部材２２の一端部２２Ａが、ばね部材４５の付勢力により反射鏡１５に近づく方向に付勢される。
【００３２】
ここで、図９に示すように、ばね部材４５は、両端部４５Ａ，４５Ａに対して貫通孔５５に貫通される部位４５Ｂが、グレアカットキャップ２０の光軸２０Ａ側に寄せられている。よって、ばね部材４５の付勢力が矢印Ｆの如く上向きに作用する。
これにより、固定部材２２の一端部２２Ａに形成された段部５６が凹部４３に係止するとともに、固定部材２２の他端部２２Ｂに形成された段部５７が凹部４４に係止する。
【００３３】
この際、段部５６の立辺５６Ａがベース２４Ａの内周に当接するとともに、段部５７の立辺５７Ａがベース２４Ａの内周に当接する。
これにより、固定部材２２が凹部４３，４４に係止された状態において、グレアカットキャップ２０の光軸２０Ａが所定位置（すなわち、光源１４の光軸と同軸上）に位置決めされる。
【００３４】
このように、凹部４３，４４に固定部材２２を係止することにより、グレアカットキャップ２０の光軸２０Ａを所定位置に位置決めすることが可能になり、グレアカットキャップ２０の取り付けが容易に行える。
【００３５】
以上説明したように、固定部材２２の一端部２２Ａをばね部材４５で反射鏡１５に近づく方向に付勢することで、固定部材２２の両端部２２Ａ，２２Ｂを凹部４３，４４にそれぞれ係合させることが可能である。
よって、固定部材２２の他端部２２Ｂには付勢部材を設ける必要がないので、他端部２２Ｂを小さな力で押し下げることが可能になる。
これにより、グレアカットキャップ２０の取り外し・取り付けを容易に行える。
【００３６】
なお、前記実施形態では、照明装置として、軸回転および傾斜可能なユニバーサルダウンライト１０を例示したが、本発明に係る照明装置は通常のダウンライト（照明方向鉛直方向に固定）や、天井面１１から垂下される腕部の先端にＵ字状の支持部材を介して支持されるスポットライトにも適用可能である。
すなわち、天井面１１から垂下される腕部の先端に、略Ｕ字状の支持部材を介して筐体１３を首振り自在に取り付けることで、照明装置をスポットライトに適用することが可能である。
【００３７】
なお、前記実施形態では、グレアカットキャップ２０として有底のキャップを例示したが、これに限らないで、グレアカットキャップ２０として底がないものを用いることも可能である。
【００３８】
さらに、前記実施形態で例示した筐体１３、光源１４、反射鏡１５、グレアカットキャップ２０、固定部材２２、凹部２２Ａ，２２Ｂ、ばね部材４５、フランジ部４９、載置部５１および係止溝５２などの形状や構成は、これに限定するものではなく、適宜変更が可能である。
【産業上の利用可能性】
【００３９】
本発明は、光源および反射部材を筐体に収容し、この筐体内において光源と、光源から光を出射する開口との間に設けられたグレアカットキャップとを備えた照明装置への適用に好適である。
【図面の簡単な説明】
【００４０】
【図１】本発明に係る照明装置を示す斜視図である。
【図２】本発明に係る照明装置を示す分解斜視図である。
【図３】本発明に係る照明装置の要部を示す分解斜視図である。
【図４】本発明に係る照明装置のリング部材と反射鏡との関係を示す分解斜視図である。
【図５】本発明に係る照明装置のリング部材と反射鏡との関係を示す断面図である。
【図６】本発明に係る照明装置のグレアカットキャップおよび固定部材を示す斜視図である。
【図７】本発明に係る照明装置の固定部材の一端部側を示す斜視図である。
【図８】本発明に係る照明装置の固定部材の他端部側を示す斜視図である。
【図９】本発明に係る照明装置の固定部材の取付構造について説明した図である。
【符号の説明】
【００４１】
１０  照明装置
１３  筐体
１４  光源
１５  反射鏡（反射部材）
１８  開口
２０  グレアカットキャップ
２０Ａ  光軸
２２  固定部材
２２Ａ，２２Ｂ  固定部材の両端部
４３，４４  凹部
４５  ばね部材（付勢部材）
４９  フランジ部
５１  載置部
５２  係止溝
【図１】
2007317557.tif 000003
【図２】
2007317557.tif 000004
【図３】
2007317557.tif 000005
【図４】
2007317557.tif 000006
【図５】
2007317557.tif 000007
【図６】
2007317557.tif 000008
【図７】
2007317557.tif 000009
【図８】
2007317557.tif 000010
【図９】
2007317557.tif 000011